(57)【要約】【課題】情報処理方法、情報処理装置およびプログラムを提供すること。【解決手段】共通の属性を有する複数の個別項目が所定の規則に従って整理された個別項目一覧を記憶するステップと、個別項目のいずれかに対する、所定の事物を表す事物情報のトラックバック処理の要求を受信するステップと、トラックバック処理が要求された特定の個別項目に対してトラックバック処理を行い、個別項目一覧上で特定の個別項目と事物情報に関する情報とを対応付けるステップとを含むことを特徴とする。【選択図】図１１
2008146484.tif 000002
【特許請求の範囲】
【請求項１】
共通の属性を有する複数の個別項目が所定の規則に従って整理された個別項目一覧を記憶するステップと；
前記個別項目のいずれかに対する、所定の事物を表す事物情報のトラックバック処理の要求を受信するステップと；
前記トラックバック処理が要求された特定の個別項目に対して前記トラックバック処理を行い、前記個別項目一覧上で前記特定の個別項目と前記事物情報に関する情報とを対応付けるステップと；
を含むことを特徴とする、情報処理方法。
【請求項２】
前記特定の個別項目と対応付けられた前記事物情報に関する情報を、前記特定の個別項目と対応付けて表示するステップをさらに含むことを特徴とする、請求項１に記載の情報処理方法。
【請求項３】
前記共通の属性は時であり、前記個別項目一覧は前記時を示す前記各個別項目が時間軸に従って整理されたことを特徴とする、請求項１に記載の情報処理方法。
【請求項４】
前記共通の属性は場所であり、前記個別項目一覧は前記各個別項目が示す場所に従って整理されたことを特徴とする、請求項１に記載の情報処理方法。
【請求項５】
前記共通の属性は人物であり、前記個別項目一覧は前記人物を示す前記各個別項目が、ある人物との関連性に従って整理されたことを特徴とする、請求項１に記載の情報処理方法。
【請求項６】
前記共通の属性は感情であり、前記個別項目一覧は前記感情を示す前記各個別項目が、感情の種類または度合いに従って整理されたことを特徴とする、請求項１に記載の情報処理方法。
【請求項７】
前記共通の属性は、時と、その他の１または２以上の任意の属性と、であることを特徴とする、請求項１に記載の情報処理方法。
【請求項８】
相互に対応付けられた前記特定の個別項目と前記事物情報に関する情報とを、前記事物情報を管理する管理装置に対して送信するステップと；
前記管理装置が、前記相互に対応付けられた前記特定の個別項目と前記事物情報に関する情報とを表示するための表示情報を生成するステップと；
を含むことを特徴とする、請求項１に記載の情報処理方法。
【請求項９】
共通の属性を有する複数の個別項目が所定の規則に従って整理された個別項目一覧を記憶する記憶部と；
前記個別項目のいずれかに対する、所定の事物を表す事物情報のトラックバック処理の要求を受信する受信部と；
前記トラックバック処理が要求された特定の個別項目に対して前記トラックバック処理を行い、前記個別項目一覧上で前記特定の個別項目と前記事物情報に関する情報とを対応付ける処理部と；
を備えることを特徴とする、情報処理装置。
【請求項１０】
コンピュータを、
共通の属性を有する複数の個別項目が所定の規則に従って整理された個別項目一覧を記憶媒体に記録する記録部と；
前記個別項目のいずれかに対する、所定の事物を表す事物情報のトラックバック処理の要求を受信する受信部と；
前記トラックバック処理が要求された特定の個別項目に対して前記トラックバック処理を行い、前記個別項目一覧上で前記特定の個別項目と前記事物情報に関する情報とを対応付ける処理部と；
を備える情報処理装置として機能させるための、プログラム。
【発明の詳細な説明】
【技術分野】
【０００１】
本発明は、情報処理方法、情報処理装置およびプログラムに関する。
【背景技術】
【０００２】
近日、インターネットに接続されたＰＣ（Ｐｅｒｓｏｎａｌ  Ｃｏｍｐｕｔｅｒ）上において、複数の情報記憶サーバに記憶された任意の事物を表す事物情報を閲覧可能とするＷｅｂサービスが普及している。ＰＣのユーザは、このようなＷｅｂサービスにより一の事物情報を閲覧すると、該一の事物情報の内容に関する関連事物情報を情報記憶サーバに記憶させたいとを考える場合がある。
【０００３】
この場合、ＰＣのユーザは、関連事物情報に、一の事物情報のＵＲＬ（Ｕｎｉｆｏｒｍ  Ｒｅｓｏｕｒｃｅ  Ｌｏｃａｔｏｒ）を含ませて情報記憶サーバに記憶させることができる。その結果、関連事物情報の閲覧者が、関連事物情報に含まれるＵＲＬに基づいて一の事物情報を閲覧することができる。
【０００４】
一方、特許文献１には、ＰＣのユーザが、関連事物情報を情報記憶サーバに記憶させる際に、一の事物情報を記憶する情報記憶サーバに、一の事物情報に対する関連事物情報のトラックバック処理を要求することにより、一の事物情報に関連事物情報を対応付ける情報処理方法が開示されている。ここで、トラックバック処理は、例えば、ＰＣのユーザが、関連事物情報を情報記憶サーバに記憶させる際に事前に設定されている一の事物情報のトラックバックＵＲＬを入力し、情報記憶サーバが該トラックバックＵＲＬに基づいて一の事物情報を記憶する情報記憶サーバに関連事物情報のタイトルやＵＲＬを送信し、一の事物情報を記憶する情報記憶サーバが、一の事物情報に受信した上記関連事物情報の要旨やＵＲＬなどを対応付けて記憶する処理を含む。
【特許文献１】特開２００５−１９６６１４号公報
【発明の開示】
【発明が解決しようとする課題】
【０００５】
しかし、従来の情報処理方法における情報記憶サーバは、事物情報を、該事物情報の内容に応じて整理して記憶するものでなかった。すなわち、従来の情報処理方法における情報記憶サーバは、事物情報を、事物情報を受信した順に整理して記憶していた。したがって、従来の情報処理方法における情報記憶サーバは、一の事物情報に対する関連事物情報のトラックバックが要求された場合、一の事物情報に関連事物情報の要旨やＵＲＬを対応付けるため、関連事物情報の要旨やＵＲＬを関連事物情報の内容に応じて整理して記憶することができなかった。その結果、情報記憶サーバが記憶する事物情報の閲覧者は、事物情報および関連事物情報に関する情報を体系的に閲覧することができなかった。
【０００６】
そこで、本発明は、上記問題に鑑みてなされたものであり、本発明の目的とするところは、情報処理装置の一例としての情報記憶サーバが記憶する事物情報の閲覧者が体系的に事物情報を閲覧することが可能な、新規かつ改良された情報処理方法、情報処理装置およびプログラムを提供することにある。
【課題を解決するための手段】
【０００７】
上記課題を解決するために、本発明のある観点によれば、共通の属性を有する複数の個別項目が所定の規則に従って整理された個別項目一覧を記憶するステップと、個別項目のいずれかに対する、所定の事物を表す事物情報のトラックバック処理の要求を受信するステップと、トラックバック処理が要求された特定の個別項目に対してトラックバック処理を行い、個別項目一覧上で特定の個別項目と事物情報に関する情報とを対応付けるステップとを含むことを特徴とする、情報処理方法が提供される。
【０００８】
かかる構成においては、当該情報処理方法を行なう情報処理装置は、共通の属性を有する複数の個別項目が所定の規則に従って整理された個別項目一覧を記憶し、個別項目のいずれかに対する事物情報のトラックバック処理の要求があった場合に、トラックバック処理が要求された特定の個別項目と事物情報に関する情報とを対応付ける。すなわち、当該情報処理方法を行なう情報処理装置は、トラックバック処理の要求があった事物情報に関する情報を所定の規則に従って整理された個別項目一覧上の対応する個別項目に対応付けて記憶する。その結果、個別項目一覧の閲覧者は、各個別項目と対応付けられた事物情報を体系的に閲覧することが可能となる。
【０００９】
特定の個別項目と対応付けられた事物情報に関する情報を、特定の個別項目と対応付けて表示するステップをさらに含んでもよい。例えば、当該情報処理方法を行なう情報処理装置は、特定の個別項目と対応付けられた事物情報に関する情報と、特定の個別項目とが閲覧者が使用する表示装置上に表示されるような情報を送信することができる。
【００１０】
共通の属性は時であり、個別項目一覧は時を示す各個別項目が時間軸に従って整理されていてもよい。すなわち、当該情報処理方法を行なう情報処理装置は、任意の時期を表す個別項目が時間軸に従って整理された個別項目一覧を記憶する。したがって、当該情報処理方法を行なう情報処理装置は、任意の時期を表す個別項目に対する該任意の時期に関する事物情報のトラックバック処理の要求を受信し、該任意の時期を表す個別項目と、該任意の時期に関する事物情報の要旨やＵＲＬなどとを対応付けることが可能である。したがって、個別項目一覧の閲覧者は、任意の時期に、どのような事物が関連するかを容易に把握することができる。
【００１１】
共通の属性は場所であり、個別項目一覧は各個別項目が示す場所に従って整理されていてもよい。すなわち、当該情報処理方法を行なう情報処理装置は、任意の場所を表す個別項目が当該場所に従って整理された個別項目一覧を記憶する。例えば、当該情報処理方法を行なう情報処理装置は、各々がいずれか都道府県を表す個別項目が、個別項目が表す都道府県の場所に従って整理された個別項目一覧を記憶する。したがって、当該情報処理方法を行なう情報処理装置は、任意の場所を表す個別項目に対する該任意の場所に関する事物情報のトラックバック処理の要求を受信し、該任意の場所を表す個別項目と、該任意の場所に関する事物情報の要旨やＵＲＬなどとを対応付けることが可能である。したがって、個別項目一覧の閲覧者は、任意の場所に、どのような事物が関連するかを容易に把握することができる。
【００１２】
共通の属性は人物であり、個別項目一覧は人物を示す各個別項目が、ある人物との関連性に従って整理されていてもよい。すなわち、当該情報処理方法を行なう情報処理装置は、任意の人物を表す個別項目が、ある人物との関連性に従って整理された個別項目一覧を記憶する。したがって、当該情報処理方法を行なう情報処理装置は、任意の人物を表す個別項目に対する該任意の人物に関する事物情報のトラックバック処理の要求を受信し、該任意の人物を表す個別項目と、該任意の人物に関する事物情報の要旨やＵＲＬなどとを対応付けることが可能である。したがって、個別項目一覧の閲覧者は、ある人物と関連する任意の人物に、どのような事物が関連するかを容易に把握することができる。
【００１３】
共通の属性は感情であり、個別項目一覧は感情を示す各個別項目が、感情の種類または度合いに従って整理されていてもよい。すなわち、当該情報処理方法を行なう情報処理装置は、任意の感情を表す個別項目が、感情の種類または度合いなどに従って整理された個別項目一覧を記憶する。したがって、当該情報処理方法を行なう情報処理装置は、任意の感情を表す個別項目に対する該任意の感情に関する事物情報のトラックバック処理の要求を受信し、該任意の感情を表す個別項目と、該任意の感情に関する事物情報の要旨やＵＲＬなどとを対応付けることが可能である。したがって、個別項目一覧の閲覧者は、ある感情に、どのような事物が関連するかを容易に把握することができる。
【００１４】
共通の属性は、時と、その他の１または２以上の任意の属性と、であってもよい。例えば、当該情報処理方法を行なう情報処理装置は、任意の場所を表す個別項目を、時を表す個別項目とを対応付け、該任意の場所および該時に従って整理した個別項目一覧を記憶することができる。その結果、個別項目一覧の閲覧者は、ある時期の任意の場所に、どのような事物が関連するかを容易に把握することができる。
【００１５】
相互に対応付けられた特定の個別項目と事物情報に関する情報とを、事物情報を管理する管理装置に対して送信するステップと、管理装置が、相互に対応付けられた特定の個別項目と事物情報に関する情報とを表示するための表示情報を生成するステップとを含んでもよい。
【００１６】
また、上記課題を解決するために、本発明の別の観点によれば、共通の属性を有する複数の個別項目が所定の規則に従って整理された個別項目一覧を記憶する記憶部と、個別項目のいずれかに対する、所定の事物を表す事物情報のトラックバック処理の要求を受信する受信部と、トラックバック処理が要求された特定の個別項目に対してトラックバック処理を行い、個別項目一覧上で特定の個別項目と事物情報に関する情報とを対応付ける処理部とを備えることを特徴とする、情報処理装置が提供される。
【００１７】
また、上記課題を解決するために、本発明の別の観点によれば、コンピュータを、共通の属性を有する複数の個別項目が所定の規則に従って整理された個別項目一覧を記憶媒体に記録する記録部と、個別項目のいずれかに対する、所定の事物を表す事物情報のトラックバック処理の要求を受信する受信部と、トラックバック処理が要求された特定の個別項目に対してトラックバック処理を行い、個別項目一覧上で特定の個別項目と事物情報に関する情報とを対応付ける処理部とを備える情報処理装置として機能させるための、プログラムが提供される。
【発明の効果】
【００１８】
以上説明したように本発明にかかる情報処理方法、情報処理装置およびプログラムよれば、情報処理装置が記憶する情報の閲覧者が体系的に情報を閲覧することができる。
【発明を実施するための最良の形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
本明細書においては、まず、図１を参照して本実施形態にかかる情報処理システム１の概要を説明した後、図２を参照して情報処理システム１を構成する管理装置としての電子記録管理装置３０が記憶する電子記録を説明し、図３〜図１２を参照して本実施形態にかかる情報処理装置としての年表管理装置２０の構成および動作について説明する。
【００２１】
図１は、本実施形態にかかる情報処理システム１の概略構成を示した説明図である。情報処理システム１は、ＰＣ１０Ａおよび１０Ｂと、通信網１２と、年表管理装置２０と、電子記録管理装置３０と、を含む。当該情報処理システム１は、年月日などの時期を表す個別項目と、個別項目の表す時期に関する電子記録を対応付けた年表を作成、更新または利用することが可能なシステムである。
【００２２】
電子記録管理装置３０は、任意の事物を表す事物情報としての電子記録を記憶する。このような電子記録は、例えば、通信網１２を介してＰＣ１０Ａおよび１０Ｂなどから送信される情報である。電子記録の具体例については、図２を参照して後述する。また、ＰＣ１０Ａおよび１０Ｂは情報処理装置の一例として示したに過ぎず、情報処理装置は、家庭用映像処理装置（ＤＶＤレコーダ、ビデオデッキなど）、携帯電話、ＰＨＳ（Ｐｅｒｓｏｎａｌ  Ｈａｎｄｙｐｈｏｎｅ  Ｓｙｓｔｅｍ）、携帯用音楽再生装置、携帯用映像処理装置、ＰＤＡ（Ｐｅｒｓｏｎａｌ  Ｄｉｇｉｔａｌ  Ａｓｓｉｓｔａｎｔ）、家庭用ゲーム機器、携帯用ゲーム機器、家電機器などであってもよい（以下、特にＰＣ１０Ａおよび１０Ｂを区別する必要が無い場合は、単にＰＣ１０と表記する。）。また、年表管理装置２０および電子記録管理装置３０も同様の情報処理装置で構成してもよい。
【００２３】
年表管理装置２０は、年月日などの時期を表す個別項目を時間軸に従って整理した個別項目一覧としての年表を記憶する。各個別項目には、トラックバック用のトラックバックＵＲＬが設定されており、電子記録管理装置３０などの外部装置から各個別項目に対してトラックバック処理を要求できるようになっている。
【００２４】
ここで、トラックバック処理は、例えば、トラックバック処理を要求された個別項目に、所定の電子記録を対応付ける処理を含む。例えば、ＰＣ１０Ａのユーザが、年表のいずれかの個別項目に設定されているトラックバックＵＲＬを電子記録管理装置３０へ送信し、電子記録管理装置３０が該トラックバックＵＲＬに基づいて年表管理装置２０にユーザにより指定された電子記録のタイトルやＵＲＬを送信し、年表管理装置２０が、該トラックバックＵＲＬに対応する個別項目と、電子記録管理装置３０から受信した電子記録のタイトルやＵＲＬなどを対応付けて記憶する処理を含む。
【００２５】
または、ＰＣ１０Ａのユーザが、年表のいずれかの個別項目に設定されているトラックバックＵＲＬを電子記録管理装置３０へ送信し、電子記録管理装置３０が該トラックバックＵＲＬに基づいて年表管理装置２０にユーザにより指定された電子記録のタイトルやＵＲＬを送信するまでの過程がトラックバック処理の要求であって、年表管理装置２０が、該トラックバックＵＲＬに対応する個別項目と、電子記録管理装置３０から受信した電子記録のタイトルやＵＲＬなどを対応付けて記憶する過程がトラックバック処理であってもよい。
【００２６】
したがって、年表管理装置２０は、時期を表す個別項目を時系列に整理した年表を記憶しているため、いずれかの個別項目に対してトラックバック処理を要求した側の電子記録に関する情報を、時系列に整理された個別項目と対応付けて記憶することができる。すなわち、１または２以上のユーザが、トラックバック処理を用いて年表管理装置２０が記憶する年表の作成または更新などを行なうことができる。その結果、例えばユーザがＰＣ１０を介して年表管理装置２０が記憶する年表を閲覧し、任意の時期に関する電子記録を容易に把握することが可能となる。
【００２７】
以上、本実施形態にかかる情報処理システム１の概要を説明した。続いて、図２を参照して電子記録管理装置３０が記憶する電子記録の一例を説明する。
【００２８】
図２は、電子記録管理装置３０が記憶する電子記録の一例を示した説明図である。電子記録管理装置３０は、図２に示したように、電子記録を作成したユーザごとに電子記録を区分して記録している。このような電子記録は、ＰＣ１０において作成され、ＰＣ１０から電子記録管理装置３０へ送信されたものであってもよい。
【００２９】
具体的には、図２の例では、電子記録管理装置３０は「Ａさんの電子記録」と「Ｂさんの電子記録」を記憶している。「Ａさんの電子記録」には、２００６年９月１日に作成された「１９６９年７月１６日アポロ１１号打ち上げ。この時私は・・・」という電子記録と、２００６年９月２日に作成された「１９６９年７月２０日アポロ１１号月面着陸。ＴＶ中継を深夜まで・・・」という電子記録を含む。
【００３０】
また、「Ｂさんの電子記録」は、２００４年１月４日に作成された「１９６９年７月１６日、ＭＨＫから突然電話がかかってきて、アポロの月着陸の解説をしろとのこと・・・」という電子記録と、２００４年２月１日に作成された「１９６９年７月２０日、初めてのテレビ出演。ＭＨＫに１６時に到着・・・」という電子記録を含む。
【００３１】
このように、図２に示した例では、「Ａさんの電子記録」および「Ｂさんの電子記録」は、時期に応じたアポロ１１号に関する電子記録（エントリー）を含んでいる。なお、図２に示した例では電子記録がテキスト情報を含む場合を示しているが、電子記録は、動画情報、静止画情報または音声情報などを含むようにしてもよい。また、電子記録の内容としては、例えば、音楽、映画、経済、ニュース、スポーツ、芸能、アイドル、個人の生い立ち、講演、ゲームなど任意の事物に関する内容があげられる。
【００３２】
本実施形態にかかる電子記録管理装置３０は、このような電子記録の年表管理装置２０へのトラックバック処理の要求を行い、年表管理装置２０においてトラックバック処理を行うことにより年表が作成、または更新される。以下、トラックバック処理を行う年表管理装置２０の構成および動作を説明する。
【００３３】
図３は、本実施形態にかかる年表管理装置２０のハードウェア構成を示したブロック図である。年表管理装置２０は、ＣＰＵ（Ｃｅｎｔｒａｌ  Ｐｒｏｃｅｓｓｉｎｇ  Ｕｎｉｔ）２０１と、ＲＯＭ（Ｒｅａｄ  Ｏｎｌｙ  Ｍｅｍｏｒｙ）２０２と、ＲＡＭ（Ｒａｎｄｏｍ  Ａｃｃｅｓｓ  Ｍｅｍｏｒｙ）２０３と、ホストバス２０４と、ブリッジ２０５と、外部バス２０６と、インタフェース２０７と、入力装置２０８と、出力装置２１０と、ストレージ装置（ＨＤＤ）２１１と、ドライブ２１２と、通信装置２１５とを備える。
【００３４】
ＣＰＵ２０１は、演算処理装置および制御装置として機能し、各種プログラムに従って年表管理装置２０内の動作全般を制御する。また、ＣＰＵ２０１は、マイクロプロセッサであってもよい。ＲＯＭ２０２は、ＣＰＵ２０１が使用するプログラムや演算パラメータ等を記憶する。ＲＡＭ２０３は、ＣＰＵ２０１の実行において使用するプログラムや、その実行において適宜変化するパラメータ等を一次記憶する。これらはＣＰＵバスなどから構成されるホストバス２０４により相互に接続されている。
【００３５】
ホストバス２０４は、ブリッジ２０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス２０６に接続されている。なお、必ずしもホストバス２０４、ブリッジ２０５および外部バス２０６を分離構成する必要はなく、一のバスにこれらの機能を実装してもよい。
【００３６】
入力装置２０８は、例えば、マウス、キーボード、タッチパネル、ボタン、スイッチおよびレバーなどユーザが操作する操作手段と、使用者による操作に基づいて入力信号を生成し、ＣＰＵ２０１に出力する入力制御回路などから構成されている。年表管理装置２０の使用者は、該入力装置２０８を操作することにより、年表管理装置２０に対して各種のデータを入力したり処理動作を指示したりすることができる。
【００３７】
出力装置２１０は、例えば、ＣＲＴ（Ｃａｔｈｏｄｅ  Ｒａｙ  Ｔｕｂｅ）ディスプレイ装置、液晶ディスプレイ（ＬＣＤ）装置およびランプなどの表示装置と、スピーカおよびヘッドホンなどの音声出力装置で構成される。出力装置２１０は、例えば、再生されたコンテンツを出力する。具体的には、表示装置は再生された映像データ等の各種情報をテキストまたはイメージで表示する。一方、音声出力装置は、再生された音声データ等を音声に変換して出力する。
【００３８】
ストレージ装置２１１は、本実施形態にかかる年表管理装置２０の記憶部の一例として構成されたデータ格納用の装置であり、記憶媒体、記憶媒体にデータを記録する記録装置、記憶媒体からデータを読み出す読出し装置および記憶媒体に記録されたデータを削除する削除装置などを含むことができる。ストレージ装置２１１は、例えば、ＨＤＤ（Ｈａｒｄ  Ｄｉｓｋ  Ｄｒｉｖｅ）で構成される。このストレージ装置２１１は、ハードディスクを駆動し、ＣＰＵ２０１が実行するプログラムや各種データを格納する。また、このストレージ装置２１１には、時系列に整理された時を示す個別項目を含む個別項目一覧としての年表が記憶される。
【００３９】
ドライブ２１２は、記憶媒体用リーダライタであり、年表管理装置２０に内蔵、あるいは外付けされる。ドライブ２１２は、装着されている磁気ディスク、光ディスク、光磁気ディスク、または半導体メモリ等のリムーバブル記憶媒体２４に記録されている情報を読み出して、ＲＡＭ２０３に出力する。
【００４０】
通信装置２１５は、例えば、ネットワーク１２に接続するための通信デバイス等で構成された通信インタフェースである。また、通信装置２１５は、無線ＬＡＮ（Ｌｏｃａｌ  Ａｒｅａ  Ｎｅｔｗｏｒｋ）対応通信装置であっても、ワイヤレスＵＳＢ対応通信装置であっても、有線による通信を行うワイヤー通信装置であってもよい。この通信装置２１５は、ＰＣ１０や電子記録管理装置３０などとの間で、ネットワーク１２を介して、年表や電子記録に関する情報などの各種データを送受信する。
【００４１】
以上、図３を参照して本実施形態にかかる年表管理装置２０のハードウェア構成を説明した。ＰＣ１０や電子記録管理装置３０のハードウェア構成については、年表管理装置２０のハードウェア構成と実質的に同一に構成することができるため説明を省略する。続いて、図４を参照して本実施形態にかかる年表管理装置２０の機能を説明する。
【００４２】
図４は、本実施形態にかかる年表管理装置２０の構成例を示した機能ブロック図である。年表管理装置２０は、通信部２２０と、記録／読み出し部２２４と、年表生成部２２８と、記憶部２３２と、トラックバック処理部２３６と、を備える。
【００４３】
通信部２２０は、ＰＣ１０や、電子記録管理装置３０とのインターフェースであり、受信部および送信部としての機能を有する。具体的には、通信部２２０は、電子記録管理装置３０からトラックバック処理の要求と併せて、ある電子記録の要旨やＵＲＬを受信したり、ＰＣ１０へ記憶部２３２に記憶された年表を送信したりする。なお、通信部２２０は、図３に示した通信装置２１５を機能させるためのソフトウェアであってもよい。
【００４４】
記録／読み出し部２２４は、記憶部２３２への年表の記録、年表への電子記録に関する情報の追加、記憶部２３２からの年表の読み出しなどを行なう、記録部および読み出し部としての機能を含む。
【００４５】
年表生成部２２８は、時を共通の属性として有する個別項目を時系列に整理した年表を生成する。年表生成部２２８が生成する年表の具体例を、図５を参照して説明する。
【００４６】
図５は、年表生成部２２８が生成する年表の一例を示した説明図である。図５に示した例では、年表は、「日」を単位とする個別項目が時系列に整理されている。具体的には、１９６９年７月１３日〜１９６９年７月２２日の間の各日が個別項目として年表に含まれている。このような各個別項目、例えば１９６９年７月１６日には、１９６９年７月１６日へのトラックバック用のトラックバックＵＲＬを設定することができる。その結果、電子記録管理装置３０などの外部装置から、年表管理装置２０が記憶する年表の各個別項目へのトラックバックが可能となる。
【００４７】
なお、年表生成部２２８は、年表管理装置２０におけるユーザ操作、またはＰＣ１０などの外部装置から受信した情報に基づいて年表を作成してもよい。また、図５においては「日」を単位とする個別項目を示しているが、個別項目の単位は「日」に限られず、年、時代、世紀、月、週、時または分などであってもよい。
【００４８】
記憶部２３２は、年表生成部２２８が生成した例えば図５に示したような年表を記憶する。また、電子記録管理装置３０などの外部装置から通信部２２０を介して受信した電子記録に関する情報を、トラックバック処理部２３６による処理に基づいて年表上に記憶することができる。このような記憶部２３２は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＰＭ（Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性メモリや、ハードディスクおよび円盤型磁性体ディスクなどの磁気ディスクや、ＣＤ−Ｒ（Ｃｏｍｐａｃｔ  Ｄｉｓｋ  Ｒｅｃｏｒｄａｂｌｅ）／ＲＷ（ＲｅＷｒｉｔａｂｌｅ）、ＤＶＤ−Ｒ（Ｄｉｇｉｔａｌ  Ｖｅｒｓａｔｉｌｅ  Ｄｉｓｋ  Ｒｅｃｏｒｄａｂｌｅ）／ＲＷ／＋Ｒ／＋ＲＷ／ＲＡＭ（Ｒａｍｄａｍ  Ａｃｃｅｓｓ  Ｍｅｍｏｒｙ）およびＢＤ（Ｂｌｕ−Ｒａｙ  Ｄｉｓｃ（登録商標））―Ｒ／ＢＤ−ＲＥなどの光ディスクや、ＭＯ（Ｍａｇｎｅｔｏ  Ｏｐｔｉｃａｌ）ディスクなどの記憶媒体であってもよい。
【００４９】
トラックバック処理部２３６は、電子記録管理装置３０などの外部装置からの電子記録に関する情報のトラックバック処理の要求に応じて、記憶部２３２に記憶されている年表の個別項目と電子記録に関する情報とを対応付ける。
【００５０】
例えば、記憶部２３２が記憶する年表を表すトラックバックＵＲＬが「ｈｔｔｐ：／／ｗｗｗ．ｆｏｏ．ｃｏｍ／ｔｂ」であり、年表に含まれる２００６年１１月１５日午前９時３０分４０秒を表す個別項目のトラックバックＵＲＬが「ｈｔｔｐ：／／ｗｗｗ．ｆｏｏ．ｃｏｍ／ｔｂ／２００６１１１５０９３０４０」であったとする。このとき、電子記録管理装置３０から、「ｈｔｔｐ：／／ｗｗｗ．ｆｏｏ．ｃｏｍ／ｔｂ／２００６１１１５０９３０４０」に対し、トラックバック処理の要求として２００６年１１月１５日午前９時３０分４０秒に関する電子記録のタイトルや要旨を送信すると、トラックバック処理部２３６が、年表に含まれる２００６年１１月１５日午前９時３０分４０秒を表す個別項目に、電子記録管理装置３０から受信した２００６年１１月１５日午前９時３０分４０秒に関する電子記録のタイトルや要旨を対応付けるよう処理する。
【００５１】
図６は、トラックバック処理部２３６により年表上の個別項目と対応付けられた電子記録に関する情報の一例を示した説明図である。図６に示した年表は、トラックバック情報２８０、２８４、２８８および２９２を含む。
【００５２】
トラックバック情報２８０は、図２に示したＡさんの２００６年９月１日に作成された電子記録に関する情報であり、Ａさんの２００６年９月１日に作成された電子記録の一部と、Ａさんの２００６年９月１日に作成された電子記録の所在を示すＵＲＬ「ｈｔｔｐ：／／ｗｗｗ．ａａａ９１．ｊｐ」を含む。Ａさんの２００６年９月１日に作成された電子記録は１９６９年７月１６日に関する情報であるため、図６においては、年表上の１９６９年７月１６日を表す個別項目に対するトラックバック処理が要求された結果、１９６９年７月１６日を表す個別項目と、Ａさんの２００６年９月１日に作成された電子記録に関する情報であるトラックバック情報２８０と、がトラックバック処理部２３６により対応付けられた様子を示している。
【００５３】
また、トラックバック情報２８４は、図２に示したＢさんの２００４年１月４日に作成された電子記録に関する情報であり、Ｂさんの２００４年１月４日に作成された電子記録の一部と、Ｂさんの２００４年１月４日に作成された電子記録の所在を示すＵＲＬ「ｈｔｔｐ：／／ｗｗｗ．ｂｂｂ１４．ｊｐ」を含む。Ｂさんの２００４年１月４日に作成された電子記録は１９６９年７月１６日に関する情報であるため、図６においては、年表上の１９６９年７月１６日を表す個別項目に対するトラックバック処理が要求された結果、１９６９年７月１６日を表す個別項目と、Ｂさんの２００４年１月４日に作成された電子記録に関する情報であるトラックバック情報２８４と、がトラックバック処理部２３６により対応付けられた様子を示している。
【００５４】
また、トラックバック情報２８８は、図２に示したＡさんの２００６年９月２日に作成された電子記録に関する情報であり、Ａさんの２００６年９月２日に作成された電子記録の一部と、Ａさんの２００６年９月２日に作成された電子記録の所在を示すＵＲＬ「ｈｔｔｐ：／／ｗｗｗ．ａａａ９２．ｊｐ」を含む。Ａさんの２００６年９月２日に作成された電子記録は１９６９年７月２０日に関する情報であるため、図６においては、年表上の１９６９年７月２０日を表す個別項目に対するトラックバック処理が要求された結果、１９６９年７月２０日を表す個別項目と、Ａさんの２００６年９月２日に作成された電子記録に関する情報であるトラックバック情報２８８と、がトラックバック処理部２３６により対応付けられた様子を示している。
【００５５】
また、トラックバック情報２９２は、図２に示したＢさんの２００４年２月１日に作成された電子記録に関する情報であり、Ｂさんの２００４年２月１日に作成された電子記録の一部と、Ｂさんの２００４年２月１日に作成された電子記録の所在を示すＵＲＬ「ｈｔｔｐ：／／ｗｗｗ．ｂｂｂ２１．ｊｐ」を含む。Ｂさんの２００４年２月１日に作成された電子記録は１９６９年７月２０日に関する情報であるため、図６においては、年表上の１９６９年７月２０日を表す個別項目に対するトラックバック処理が要求された結果、１９６９年７月２０日を表す個別項目と、Ｂさんの２００４年２月１日に作成された電子記録に関する情報であるトラックバック情報２９２と、がトラックバック処理部２３６により対応付けられた様子を示している。
【００５６】
年表管理装置２０がこのように構成された年表を例えばＰＣ１０に送信し、ＰＣ１０においてユーザが年表を閲覧すると、ユーザは、任意の時期に関連する電子記録のＵＲＬを把握することができるため、興味に応じて任意の時期に関連する電子記録を取得することができる。
【００５７】
なお、図６においては、トラックバック情報として、電子記録の一部およびＵＲＬを示しているが、トラックバック情報はこれに限られず、例えば、電子記録のタイトル、電子記録の要旨、電子記録の内容を簡易的に表すタグなどを含むようにしてもよい。
【００５８】
また、上述してきた年表は、共通の属性を有する個別項目を所定の規則に従って整理した個別項目一覧の一例として示したに過ぎず、個別項目一覧は年表に限定されない。
【００５９】
例えば、個別項目一覧は、場所を共通の属性として有する個別項目（メタデータ）が、各個別項目の示す場所に従って整理された一覧であってもよい。図７は、場所を共通の属性として有する個別項目を含む個別項目一覧を例示した説明図である。
【００６０】
図７においては、個別項目一覧が都道府県を単位として場所を示す個別情報を含み、個別項目一覧は、個別項目が示す都道府県の地方により整理されている。具体的には、個別項目一覧は、関東地方の「茨城県」、「栃木県」、「群馬県」、「千葉県」、「埼玉県」、「東京都」、「神奈川県」、に続いて、中部地方の「新潟県」、「富山県」、「石川県」、「長野県」と順序付けられた個別項目を含む。かかる構成により、電子記録管理装置３０などの外部装置から、いずれかの都道府県を示す個別項目に対する該都道府県に関する電子記録のトラックバック処理を要求可能となる。その結果、個別項目一覧を記憶する情報処理装置は、例えば、都道府県を示す個別項目と、該都道府県に関する電子記録のＵＲＬを対応付けて記憶することができる。したがって、個別項目一覧の閲覧者は、任意の場所に関する電子記録の所在を容易に把握することができ、興味に応じて任意の場所に関する電子記録を取得することが可能となる。
【００６１】
なお、図７において場所を示す個別項目が都道府県単位である例を示したが、場所を示す個別項目の単位はこれに限られず、国、州、地方、市町村、あるいは緯度経度を単位としてもよい。また、図７においては場所を示す個別項目を１次元に整理した例を示したが、２次元の地図を個別項目一覧とし、地図上の点、あるいは区分を個別項目としてもよい。
【００６２】
また、個別項目一覧は、人物を共通の属性として有する個別項目が、各個別項目の示す人物のある人物との関連性に従って整理された一覧であってもよい。図８は、人物を共通の属性として有する個別項目を含む個別項目一覧を例示した説明図である。
【００６３】
図８においては、個別項目一覧が人物を示す個別情報を含み、個別項目一覧は、個別項目が示す人物のある人物との関連性により整理されている。具体的には、個別項目一覧は、Ａさんと関連性を有する「Ａさん父」、「Ａさん母」、「Ａさん兄」、「Ｂさん」、「Ｃさん」、「Ｄさん」、「Ｅさん」、に続いて、Ｆさんと関連性を有する「Ｇさん」、「Ｈさん」、「Ｉさん」、「Ｊさん」、「Ｋさん」と順序付けられた個別項目を含む。なお、図８においては、上位に示した「Ａさん父」、「Ａさん母」がＡさんと関連性が高く、下位に示した「Ｄさん」、「Ｅさん」は相対的にＡさんと関連性が低い場合を示している。
【００６４】
かかる構成により、電子記録管理装置３０などの外部装置から、いずれかの人物を示す個別項目に対する該人物に関する電子記録のトラックバック処理を要求可能となる。その結果、個別項目一覧を記憶する情報処理装置は、例えば、人物を示す個別項目と、該人物に関する電子記録の要旨を対応付けて記憶することができる。したがって、個別項目一覧の閲覧者は、電子記録の要旨に基づいて、ある人物と関連性を有する任意の人物にどのような事物が関連するかを体系的に把握することができる。なお、図８においては、個別項目一覧を表形式で示しているが、個別項目一覧は、人物間の関係を図式的に表した人間関係相関図であってもよい。
【００６５】
また、個別項目一覧は、感情を共通の属性として有する個別項目が、感情の種類または度合いに従って整理された一覧であってもよい。図９は、感情を共通の属性として有する個別項目を含む個別項目一覧を例示した説明図である。
【００６６】
図９においては、個別項目一覧が感情を示す個別情報を含み、個別項目一覧は、個別項目が示す感情の種類または度合いにより整理されている。具体的には、個別項目一覧は、「恐怖」、「怒り」、「嫉妬」、「羞恥」、「悲しみ」、「喜び」、「希望」、「思いやり」、「友情」、「愛」と順序付けられた個別項目を含む。
【００６７】
かかる構成により、電子記録管理装置３０などの外部装置から、いずれかの感情を示す個別項目に対する該感情に関する電子記録のトラックバック処理を要求可能となる。その結果、個別項目一覧を記憶する情報処理装置は、例えば、感情を示す個別項目と、該感情に関する電子記録の要旨を対応付けて記憶することができる。したがって、個別項目一覧の閲覧者は、電子記録の要旨に基づいて、ある感情にどのような事物が関連するかを容易に把握することができる。また、当該個別項目一覧を人物ごとに記憶すれば、個別項目一覧の閲覧者は、ある人物の任意の感情に関する情報を取得可能である。
【００６８】
また、個別項目一覧は、時と、その他の１または２以上の任意の属性を共通の属性として有する個別項目が、時および任意の属性のパラメータに従って整理された一覧であってもよい。図１０は、時と場所を共通の属性として有する個別項目を含む個別項目一覧を例示した説明図である。
【００６９】
図１０においては、個別項目一覧は、「１９６９年７月１６日の茨城県」、「１９６９年７月１６日の栃木県」、「１９６９年７月１６日の群馬県」、「１９６９年７月１６日の千葉県」、「１９６９年７月１６日の埼玉県」、「１９６９年７月１６日の東京都」、「１９６９年７月１６日の神奈川県」、「１９６９年７月１６日の新潟県」、「１９６９年７月１６日の富山県」、「１９６９年７月１６日の石川県」、「１９６９年７月１６日の長野県」と順序付けられた個別項目を含む。
【００７０】
かかる構成により、電子記録管理装置３０などの外部装置から、いずれかの時期および場所を示す個別項目に対する該時期および場所に関する電子記録のトラックバック処理を要求可能となる。その結果、個別項目一覧を記憶する情報処理装置は、例えば、時期および場所を示す個別項目と、該時期および場所に関する電子記録のＵＲＬを対応付けて記憶することができる。したがって、個別項目一覧の閲覧者は、電子記録のＵＲＬに基づいて、任意の時期における任意の場所に関する電子記録の所在を容易に把握することができ、興味に応じて任意の時期における任意の場所に関する電子記録を取得することが可能となる。
【００７１】
以上、個別項目の一例を説明したが、個別項目は上述した内容に限られず、例えば、あいうえお順に整理された単語、栄養素に応じて整理された野菜、相互の関連性により整理された技術分野、ジャンルにより整理された映画タイトルまたは音楽タイトルなどであってもよい。続いて、本実施形態にかかる情報処理システム１による情報処理方法を図１１および図１２を参照して説明する。
【００７２】
図１１および図１２は、本実施形態にかかる情報処理システム１における情報処理方法の流れを示したシーケンス図である。当該情報処理方法においては、まず、電子記録管理装置３０が電子記録を記憶する（Ｓ３０４）。また、年表管理装置２０が共通の属性を有する個別項目を所定の規則に従って整理した個別項目一覧を記憶する（Ｓ３０８）。
【００７３】
続いて、年表管理装置２０がＰＣ１０にある個別項目のトラックバックＵＲＬを送信する（Ｓ３１２）。実際には、年表管理装置２０が、ＰＣ１０においてある個別項目のトラックバックＵＲＬを表示可能とするためにトラックバックＵＲＬをＰＣ１０に対して送信する。その後、ＰＣ１０においてユーザがトラックバックＵＲＬおよびトラックバックの対象となる電子記録を入力し（Ｓ３１６）、電子記録管理装置３０に送信する（Ｓ３２０）。
【００７４】
次いで、電子記録管理装置３０は、受信したトラックバックＵＲＬに基づいて年表管理装置２０が記憶するある個別項目に対するトラックバック処理の要求を行なう（Ｓ３２４）。当該トラックバック処理の要求は、トラックバックＵＲＬに基づいて年表管理装置２０に対してトラックバックの対象となる電子記録の内容の要約やＵＲＬなどを送信することであってもよい。
【００７５】
そして、年表管理装置２０は、電子記録管理装置３０からのトラックバック処理の要求に応じて、ある個別項目と電子記録管理装置３０から受信したある電子記録に関する情報とを対応付けるトラックバック処理を行う（Ｓ３２８）。その後、年表管理装置２０は、ＰＣ１０からの送信要求に応じて年表をＰＣ１０へ送信し（Ｓ３３２）、ＰＣ１０において年表を表示することができる（Ｓ３３６）。
【００７６】
または、図１２に示したように、年表管理装置２０がトラックバック処理を行った後、年表管理装置２０は年表を電子記録管理装置３０に送信するようにしてもよい（Ｓ３４０）。次いで、電子記録管理装置３０は年表管理装置２０から受信した年表を記憶し（Ｓ３４４）することができる。そして、電子記録管理装置３０は、ＰＣ１０からの送信要求に応じて電子記録と併せて年表を表示するための表示情報を生成してＰＣ１０に送信し（Ｓ３４８）、ＰＣ１０において電子記録と年表を併せて表示することが可能となる（Ｓ３５２）。
【００７７】
以上説明したように、本実施形態にかかる年表管理装置２０は、共通の属性を有する複数の個別項目が所定の規則に従って整理された個別項目一覧を記憶し、個別項目のいずれかに対する電子記録のトラックバック処理の要求があった場合に、トラックバック処理が要求された特定の個別項目と電子記録に関する情報とを対応付けることができる。すなわち、当該情報処理方法を行なう情報処理装置は、トラックバック処理の要求があった電子記録に関する情報を所定の規則に従って整理された個別項目一覧上の対応する個別項目に対応付けて記憶することができる。その結果、個別項目一覧の閲覧者は、各個別項目と対応付けられた電子記録を体系的に閲覧することが可能となる。
【００７８】
また、年表管理装置２０は、任意の時期を表す個別項目が時間軸に従って整理された年表を記憶する。したがって、年表管理装置２０は、任意の時期を表す個別項目に対する該任意の時期に関する電子記録のトラックバック処理の要求を受信し、該任意の時期を表す個別項目と、該任意の時期に関する電子記録の要旨やＵＲＬなどとを対応付けることが可能である。したがって、個別項目一覧の閲覧者は、任意の時期に、どのような事物が関連するかを容易に把握することが可能となる。
【００７９】
なお、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００８０】
例えば、年表管理装置２０と、電子記録管理装置３０とを一体構成してもよい。また、本明細書のデータ記録装置の処理における各ステップは、必ずしもフローチャートとして記載された順序に沿って時系列に処理する必要はなく、並列的あるいは個別に実行される処理（例えば、並列処理あるいはオブジェクトによる処理）も含むとしてもよい。
【００８１】
また、年表管理装置２０に内蔵されるＣＰＵ２０１、ＲＯＭ２０２およびＲＡＭ２０３などのハードウェアを、上述した年表管理装置２０の各構成と同等の機能を発揮させるためのコンピュータプログラムも作成可能である。また、当該コンピュータプログラムを記憶した記憶媒体も提供される。
【図面の簡単な説明】
【００８２】
【図１】本発明の一実施形態にかかる情報処理システムの概略構成を示した説明図である。
【図２】同実施形態にかかる電子記録管理装置が記憶する電子記録の一例を示した説明図である。
【図３】同実施形態にかかる年表管理装置のハードウェア構成を示したブロック図である。
【図４】同実施形態にかかる年表管理装置の構成例を示した機能ブロック図である。
【図５】同実施形態にかかる年表生成部が生成する年表の一例を示した説明図である。
【図６】同実施形態にかかるトラックバック処理部により年表上の個別項目と対応付けられた電子記録に関する情報の一例を示した説明図である。
【図７】場所を共通の属性として有する個別項目を含む個別項目一覧を例示した説明図である。
【図８】人物を共通の属性として有する個別項目を含む個別項目一覧を例示した説明図である。
【図９】感情を共通の属性として有する個別項目を含む個別項目一覧を例示した説明図である。
【図１０】時と場所を共通の属性として有する個別項目を含む個別項目一覧を例示した説明図である。
【図１１】同実施形態にかかる情報処理システムにおける情報処理方法の流れを示したシーケンス図である。
【図１２】同実施形態にかかる情報処理システム１における情報処理方法の流れを示したシーケンス図である。
【符号の説明】
【００８３】
１          情報処理システム
１０        ＰＣ
２０        年表管理装置
３０        電子記録管理装置
２２０      通信部
２２４      記録／読み出し部
２２８      年表生成部
２３２      記憶部
２３６      トラックバック処理部
【図１】
2008146484.tif 000003
【図２】
2008146484.tif 000004
【図３】
2008146484.tif 000005
【図４】
2008146484.tif 000006
【図５】
2008146484.tif 000007
【図６】
2008146484.tif 000008
【図７】
2008146484.tif 000009
【図８】
2008146484.tif 000010
【図９】
2008146484.tif 000011
【図１０】
2008146484.tif 000012
【図１１】
2008146484.tif 000013
【図１２】
2008146484.tif 000014